(57)【要約】      （修正有）【課題】食品や化粧品等の小箱を収納した状態で輸送等ができ、又収納した状態で吊り下げ出来、展示できると共に、収納された小箱を一つずつ取り出して販売できる紙箱を提供する。【解決手段】背面板、前面板、両側面板、天面板、および底面板からなり、複数個の小箱を収納する直方体形状の箱本体と、背面板の天面板側上縁に設けた吊り下げ板とからなる吊り下げ箱であって、吊り下げ箱の底部には、前面板の下端部に前記小箱が取り出せるように取り出し口を設け、小箱の小箱底面を底面板から斜めに保持するための底面保持板を設け、該底面保持板の下辺から直角に収納した小箱の小箱側面を保持する側面保持板（裏面）と側面保持板（表面）を折り重ねて形成された側面保持板を設け、最下段に収納した小箱の一部を前面板の前記取り出し口から突出させ、底面保持板と側面保持板とで斜めに保持している展示販売用吊り下げ箱である。【選択図】図４
2008105676.tif 000002
【特許請求の範囲】
【請求項１】
背面板、前面板、両側面板、天面板、および底面板からなり、複数個の小箱を収納する直方体形状の箱本体と、前記背面板の天面板側上縁に設けた吊り下げ板とからなる吊り下げ箱であって、
前記吊り下げ箱の底部には、前記前面板の下端部に前記小箱が取り出せるように取り出し口を設け、前記小箱の小箱底面を底面板から斜めに保持するための底面保持板を設け、該底面保持板の下辺から直角に収納した前記小箱の小箱側面を保持する側面保持板（裏面）と側面保持板（表面）を折り重ねて形成された側面保持板を設け、最下段に収納した前記小箱の一部を前記前面板の前記取り出し口から突出させ、前記底面保持板と前記側面保持板とで斜めに保持していることを特徴とする展示販売用吊り下げ箱。
【請求項２】
前記底面保持板と前記側面保持板の角度を直角とし、前記底面保持板と前記底面板との角度を３０〜８０度の範囲としていることを特徴とする請求項１記載の前記展示販売用吊り下げ箱。
【請求項３】
前記側面板では、下端部に前記前面板から一部が突出した突出部を設け、該突出部の形状は、斜め上辺と斜め下辺とからなる三角形を基本とし、収納した前記小箱が前記前面板から突出した部分の形状とほぼ同形とし、収納した前記小箱を取り出し易くするために、前記斜め上辺は凹んだ形状としていることを特徴とする請求項１又は２に記載の展示販売用吊り下げ箱。
【請求項４】
前記突出部の前記斜め下辺に側面保持部差し込み片を設け、折り重ねた前記側面保持板（裏面）と前記側面保持板（表面）の間に差し込んで前記側面保持板を形成していることを特徴とする請求項３に記載の展示販売用吊り下げ箱。
【請求項５】
前記吊り下げ板は、前記背面板の上縁の吊り下げ板（裏面）と、該吊り下げ板（裏面）の上辺に連設した前記吊り下げ板（裏面）より長い吊り下げ板（表面）とからなり、該吊り下げ板（表面）の先端部を前記箱本体に挿入していることを特徴とする請求項１乃至４のいずれかに記載の展示販売用吊り下げ箱。
【発明の詳細な説明】
【技術分野】
【０００１】
本発明は、食品、雑貨、化粧品等が内容物の小箱を収納、あるいは、展示販売するための紙箱に関するものであり、さらに詳しくは、小箱を収納した状態で吊り下げて展示できると共に、収納された小箱を一つずつ取り出して販売できる紙箱に関するものである。
【背景技術】
【０００２】
従来から小箱を収納した状態で輸送等に供し、かつ、小箱を収納した状態で吊り下げて展示すると共に、収納された小箱を一つずつ取り出して販売する形態の紙箱は種々あるが、いずれのものも小箱を取り出すときには、紙箱の天蓋あるいは底蓋を開いて小箱を取り出さねばならないものであった。そのため、天蓋あるいは底蓋を再度閉じるという操作を必要とした。また、天蓋を開いて取り出す場合、紙箱に収納された小箱が少ない状態では小箱を一度吊り下げを解いて紙箱を逆さにして取り出さねばならないといった問題や、吊り下げた状態で紙箱に収納された小箱を底蓋を開けて取り出す場合においては、底蓋を開けると自重で小箱が自然落下するために、小箱を一つ取り出すことに細心の注意を払わねばならないといった問題、また、小箱を一つ取り出せば事足りことが複数個出てしまい、再度紙箱に戻さねばならないといった問題があった。また、店頭で陳列する時の意匠性の点で不十分なものであった（例えば、特許文献１参照。）。
【０００３】
【特許文献１】特開平１１−１７１１７１号公報
【発明の開示】
【発明が解決しようとする課題】
【０００４】
そこで本発明は、かかる問題点に鑑みてなされたものであり、食品や化粧品等の小箱を収納した状態で輸送等ができ、かつ、食品、雑貨、化粧品等の小箱を収納した状態で吊り下げて効果的に展示できると共に、収納された小箱を一つずつ取り出して販売できる取り出し口が設けられた紙箱を提供することにある。
【課題を解決するための手段】
【０００５】
本発明者は、上記目的を達成するために、請求項１に記載の発明の展示販売用吊り下げ箱は、背面板、前面板、両側面板、天面板、および底面板からなり、複数個の小箱を収納する直方体形状の箱本体と、前記背面板の天面板側上縁に設けた吊り下げ板とからなる吊り下げ箱であって、前記吊り下げ箱の底部には、前記前面板の下端部に前記小箱が取り出せるように取り出し口を設け、前記小箱の小箱底面を底面板から斜めに保持するための底面保持板を設け、該底面保持板の下辺から直角に収納した前記小箱の小箱側面を保持する側面保持板（裏面）と側面保持板（表面）を折り重ねて形成された側面保持板を設け、最下段に収納した前記小箱の一部を前記前面板の前記取り出し口から突出させ、前記底面保持板と前記側面保持板とで斜めに保持していることを特徴とするものである。
【０００６】
また、請求項２に記載の発明は、請求項１記載の展示販売用吊り下げ箱において、前記底面保持板と前記側面保持板の角度を直角とし、前記底面保持板と前記底面板との角度を３０〜８０度の範囲としていることを特徴とするものである。
【０００７】
また、請求項３に記載の発明は、請求項１、２記載の展示販売用吊り下げ箱において、前記側面板では、下端部に前記前面板から一部が突出した突出部を設け、該突出部の形状は、斜め上辺と斜め下辺とからなる三角形を基本とし、収納した前記小箱が前記前面板から突出した部分の形状とほぼ同形とし、収納した前記小箱を取り出し易くするために、前記斜め上辺は凹んだ形状としていることを特徴とするものである。
【０００８】
前記突出部の前記斜め下辺に側面保持部差し込み片を設け、折り重ねた前記側面保持板（裏面）と前記側面保持板（表面）の間に差し込んで前記側面保持板を形成していることを特徴とする請求項３に記載の展示販売用吊り下げ箱。
【０００９】
前記吊り下げ板は、前記背面板の上縁の吊り下げ板（裏面）と、該吊り下げ板（裏面）の上辺に連設した前記吊り下げ板（裏面）より長い吊り下げ板（表面）とからなり、該吊り下げ板（表面）の先端部を前記箱本体に挿入していることを特徴とする請求項１乃至４のいずれかに記載の展示販売用吊り下げ箱。
【発明の効果】
【００１０】
請求項１に記載の発明の展示販売用吊り下げ箱は、食品、雑貨、化粧品等の小箱を収納した状態で輸送等ができ、小箱を収納した状態で吊り下げて最下位の小箱が正面の外側から視認できる位置に保持されて展示できると共に、収納された最下位の小箱を取り出すと、次の位置の小箱が順次最下位となり、一つずつ確実に取り出して販売できるといった効果を奏するものである。
【００１１】
請求項２に記載の発明の展示販売用吊り下げ箱は、請求項１の発明の効果に加えて、最下段の小箱を取り出すこと容易にすることができ、店頭に陳列した時に、外から見やすく販促効果を上げることができるといった効果を奏するものである。
【００１２】
請求項３に記載の発明の展示販売用吊り下げ箱は、請求項１、２の発明の効果に加えて、さらに、最下段の小箱を取り出すこと容易にすることができるといった効果を奏するものである。
【００１３】
請求項４に記載の発明の展示販売用吊り下げ箱は、請求項１、２、３の発明の効果に加えて、底面保持板と側面保持板の角度を直角に保持することを確実にすることができるといった効果を奏するものである。
【００１４】
請求項５に記載の発明の展示販売用吊り下げ箱は、請求項１、２、３、４の発明の効果に加えて、陳列する時に吊り下げることを可能にすると共に、吊り下げ板（裏面）と吊り下げ板（表面）を重ねることにより、材料の板紙の裏面を外側に出すことなく、外観上好ましい形状とすることができるといった効果を奏するものである。
【発明の実施するための最良の形態】
【００１５】
本発明にかかる展示販売用吊り下げ箱の実施の形態について、具体的に図面等を用いて以下に詳しく説明する。図１は本発明にかかる展示販売用吊り下げ箱の実施形態の一例を示す斜視図であり、図２は図１の正面図であり、図３は図１の側面図であり、図４は図１の本発明にかかる展示販売用吊り下げ箱の実施形態の一例に小箱を収納した状態を示す斜視図であり、図５は図４の縦中央の断面図であり、図６は図１の展開図である。
【００１６】
本発明にかかる展示販売用吊り下げ箱の実施形態の一例である展示販売用吊り下げ箱１は、図１の斜視図、図２の正面図、図３の側面図に示すように、雑貨、菓子等を収納した小箱４を収納した直方体形状の箱本体２と、吊り下げ用穴５、５を有する吊り下げ板３とからなっている。箱本体２の前面板１３には小箱４を外から見ることが出来るように抜き窓６を複数個設けている。
【００１７】
また、箱本体２の底部には小箱４を底面板２０から斜めに保持するための底面保持板２３を設け、そして、底面保持板２３の下辺、つまり、底面板２０の前面板１３側の辺から、底面保持板２３に直角に収納した小箱４の小箱側面４ｃを保持する側面保持板（裏面）２１と側面保持板（表面）２２を折り重ねて形成された側面保持板８を設けている。前面板１３の下端部は小箱４が取り出せるように取り出し口７としている。
【００１８】
また、側面板１２、１４では、図３に示すように、下端部に前面板１３から一部が突出した突出部１２ａ、１４ａを設けている。この突出部１２ａ、１４ａの形状は、斜め上辺１２ｂ、１４ｂと斜め下辺１２ｃ、１４ｃとからなる三角形を基本とし、収納した小箱４が前面板１３から突出した部分の形状とほぼ同形とするが、収納した小箱４を取り出し易くするために、斜め上辺１２ｂ、１４ｂは凹んだ形状とすることが好ましい。
【００１９】
底面保持板２３は、図４に示すように、収納する小箱４の小箱底面４ｂを保持し、その形状は小箱底面４ｂと同形とし、側面保持板８は収納する小箱４の小箱側面４ｃを保持し、その形状は小箱側面４ｃと同形とし、そして、底面保持板２３と側面保持板８の角度を直角としている。また、図５に示すように、底面保持板２３と底面板２０との角度Ｔは３０〜８０度の範囲とし、好ましくは４５〜６０度の範囲とする。角度Ｔが３０度未満あるいは８０度を超えた場合、収納している小箱４の外から見た意匠性が乏しくなり、また、取り出しにくくなる。
【００２０】
また、吊り下げ板３は吊り下げ板（裏面）１１ａと吊り下げ板（表面）１９とからなり、背面板１１の上縁を吊り下げ板（裏面）１１ａとし、その他方は吊り下げ板（裏面）１１ａの上辺に吊り下げ板（裏面）１１ａより長い吊り下げ板（表面）１９とし、その先端部を箱本体２に挿入している。また、吊り下げ板３をしっかりした吊り下げ板とするために、必要に応じて吊り下げ板（裏面）１１ａと吊り下げ板（表面）１９とを接着剤等で接着して一体化したものとしてもよい。また、吊り下げ板３は吊り下げ板（裏面）１１ａのみの構成であってもよいし、また、吊り下げ板３は箱本体２の上縁と連接したものである必要はなく、箱本体２とは別ものであってもよく、要するに吊り下げ板３が箱本体２と何らかの手段で固着されているものは本発明に含まれるものである。
【００２１】
図６は図１に示した展示販売用吊り下げ箱１の展開図であって、展示販売用吊り下げ箱１は、背面板１１、側面板１２、前面板１３、側面板１４、糊代片１５を、折れ線ａ、ｂ、ｃ、ｄを介して順次連設している。そして、前面板１３には抜き窓１３ａを設けると共に前面板１３の上辺には天面板１６を折れ線ｅを介して連設し、天面板１６の上辺には折れ線ｆを介して天部差し込み片１６ａを連設し、側面板１２、１４のそれぞれの上辺には天部折り込み片１７、１８を折れ線ｇ、ｈを介して連設している。
【００２２】
また、吊り下げ板３を形成する部分として、背面板１１の上縁の折れ線ｅ、ｇ、ｈの延長線より上の部分を吊り下げ板（裏面）１１ａとし、その吊り下げ板（裏面）１１ａの上辺には折れ線ｉを介して吊り下げ板（裏面）１１ａの寸法より長い吊り下げ板（表面）１９を連設している。また、吊り下げ穴５、５を形成するために、吊り下げ板（裏面）１１ａには吊り下げ用穴１１ｂ、１１ｂを、吊り下げ板（表面）１９には、吊り下げ用穴１９ａ、１９ａを、折れ線ｉに対して対称な位置に設けている。
【００２３】
また、背面板１１の下辺には折れ線ｊを介して底面板２０を連設し、その底面板２０の下辺に折れ線ｋを介して側面保持板（裏面）２１を連設し、その側面保持板（裏面）２１の下辺に折れ線ｌを介して側面保持板（表面）２２を連設し、さらに、その側面保持板（表面）２２の下辺に折れ線ｋを介して底面保持板２３を連設し、その底面保持板２３の両側辺に折れ線ｎ、ｎを介して底面保持板補強片２３ａ、２３ａをそれぞれ連設している。また、前面板１３の下部には、底面保持板２３の上縁を差し込んで保持する差し込み口１１ｃを設けている。
【００２４】
さらに、側面板１２、１４のそれぞれの下辺には底部折り込み片２４、２５を折れ線ｏ、ｐを介して連設している。また、両側面板１２、１４の下部から前面板１３側に突出した斜め上辺１２ｂ、１４ｂと斜め下辺１２ｃ、１４ｃとからなる突出部１２ａ、１４ａを設け、その斜め下辺１２ｃ、１４ｃには折れ線ｑ、ｒを介してそれぞれ側面保持部差し込み片１２ａ、１４ａを設けている。
【００２５】
また、前面板１３の下部は、収納した小箱を取り出すための取り出し口７としており、中央部には、収納した小箱４が外から見ることができるように、複数個の抜き窓６を設けている。この抜き窓６の数および形状は限定されるものではない。
【００２６】
このブランク板１０を使用して展示販売用吊り下げ箱１を組み立てる工程を説明する。まず、背面板１１、側面板１２、前面板１３、側面板１４、糊代片１５を、折れ線ａ、ｂ、ｃ、ｄで所定方向に順次折り曲げて糊代片１５と側面板１４の裏面とを接着して箱本体２を組み立てる。この箱本体２を組み立てる前の段階では折り畳んだ状態で保管、輸送等を行うことができる。つぎに、店頭等において折り畳まれた箱本体２を起こして、側面板１２、１４の下辺に連設した底部折り込み片２４、２５を折り込むと共に背面板１１の下辺の底面板２０を直角に折り曲げて底部を形成する。
【００２７】
つぎに、側面板１２、１４の突出部１２ａ、１４ａの斜め下辺１２ｃ、１４ｃに設けた側面保持部差し込み片１２ａ、１４ａを内側に直角に折り曲げ、底面板２０に連設した側面保持板（裏面）２１を上方に折り曲げ、そして、それらの側面保持部差し込み片１２ａ、１４ａを挟み込むように、その側面保持板（裏面）２１に連設した側面保持板（表面）２２を内側下方に折り曲げる。同時に、側面保持板（表面）２２に連設した底面保持板２３の両側辺に設けた底面保持板補強片２３ａ、２３ａを内側に折り曲げ、底面保持板２３を外側上方に折り曲げることによって箱本体２の下部に斜面部を形成することができる。さらに、底面保持板２３の上縁を背面板１１に設けた差し込み口１１ｃに差し込むことにより底面保持板２３を確実なものとすることができる。
【００２８】
また、天部においては、背面板１１の上縁の吊り下げ板（裏面）１１ａに連設した吊り下げ板（表面）１９を吊り下げ板（裏面）１１ａに重ね合わせて折り返すと共に箱本体２の内側に吊り下げ板（表面）１９の先端部を挿入して吊り下げ部を形成することができる。このように、背面板１１の上縁は吊り下げ板（裏面）１１ａに、その吊り下げ板（裏面）１１ａの寸法より長い吊り下げ板（表面）１９を折り返し、吊り下げ面１１ａと吊り下げ板（表面）１９とに折れ線ｉに対して対称な位置に設けられた吊り下げ用穴１１ｂ、１１ｂおよび１９ａ、１９ａが重なり吊り下げ孔８、９を形成している。
【００２９】
つぎに、両側面板１２、１４の上辺に連設した天部折り込み片１７、１８を箱本体２本体の内側に折り曲げると共に前面板１３に上辺に連設した天面板１６および天部差し込み片１６ａを折り曲げて天部差し込み片１６ａを箱本体２の内側に差し込むことにより箱の組み立てが完了する。このようにして組み立てたものに小箱４を収納することにより図４に示すような小箱４を収納した状態の展示販売用吊り下げ箱１となる。
【００３０】
この展示販売用吊り下げ箱１を実際に使用する場合には、底面保持板２３と側面保持板８とで保持されている最下段の小箱４を一つ取り出すことができる。最下段の小箱４を一つ取り出すことにより、次の段の子箱４が下へ降りて最下段の位置で底面保持板２３と側面保持板８とで保持されることになる。このように順次最下段の小箱を取り出すことができる構造となっている。
【００３１】
また、前記切欠部13は本実施例で示した形状に限るものではなく、小箱が一つずつ容易に、かつ、確実に取り出せる形状であれば本発明に含まれるものである。さらにくり抜き窓の形状についても本実施例で示した形状に限るものではなく、小箱が外側から確認できると共に小箱が外側へ落ちることなく箱内に確実に保持される形状であれば上記同様に本発明に含まれるものである。
【産業上の利用可能性】
【００３２】
本発明の展示販売用吊り下げ箱は、食品、雑貨、化粧品等が内容物の小箱を収納、あるいは、展示販売するための紙箱であり、小箱を収納した状態で吊り下げて展示できると共に、収納された小箱を一つずつ取り出して販売できる展示販売用吊り下げ箱に利用可能なものである。
【図面の簡単な説明】
【００３３】
【図１】本発明にかかる展示販売用吊り下げ箱の実施形態の一例を示す斜視図である。
【図２】図１の正面図である。
【図３】図１の側面図である。
【図４】図１の本発明にかかる展示販売用吊り下げ箱の実施形態の一例に小箱を収納した状態を示す斜視図であり、
【図５】図４の縦中央の断面図である。
【図６】図１の展開図である。
【符号の説明】
【００３４】
１    展示販売用吊り下げ箱
２    箱本体
３    吊り下げ板
４    小箱
４ａ  小箱天面
４ｂ  小箱底面
４ｃ  小箱側面
５    吊り下げ穴
６    抜き窓
７    取り出し口
８    側面保持板
１０    ブランク
１１    背面板
１１ａ  吊り下げ板（裏面）
１１ｂ  吊り下げ用抜き穴
１１ｃ  差し込み口
１２    側面板
１２ａ  側面保持板補強片
１２ｂ  斜め上辺
１２ｃ  斜め下辺
１３    前面板
１４    側面板
１４ａ  側面保持板補強片
１４ｂ  斜め上辺
１４ｃ  斜め下辺
１５    糊代片
１６    天面板
１６ａ  天部差し込み片
１７    天部折り込み片
１８    天部折り込み片
１９    吊り下げ板（表面）
１９ａ  吊り下げ用抜き穴
２０    底面板
２１    側面保持板（裏面）
２２    側面保持板（表面）
２３    底面保持板
２３ａ  底面保持板補強片
２４    底部折り込み片
２５    底部折り込み片
ａ〜ｒ  折れ線
Ｔ    底面保持板と底面板との角度
【図１】
2008105676.tif 000003
【図２】
2008105676.tif 000004
【図３】
2008105676.tif 000005
【図４】
2008105676.tif 000006
【図５】
2008105676.tif 000007
【図６】
2008105676.tif 000008